(57)【要約】【課題】パッド材の溝を横断するように配線部材を配置しても溝に表皮材を引き込む手段によって配線が干渉されにくくし、配線の断線を起きにくくすること。【解決手段】乗り物のシートに設けられるパッド材（１０）の表面が表皮材（３０）で覆われている。表皮材（３０）を引き込むための溝（１２）がパッド材（１０）の表面に形成され、溝（１２）内を線状部材（５０）が走っており、線状部材（５０）が表皮材（３０）から溝（１２）内へ延びる引き込み部材（４０）に保持され溝（１２）の底に係留されている。表皮材（３０）とパッド材（１０）の間に設けられるヒータ等の電気配線部材（２４）が線状部材（５０）とパッド材（１０）との間を通って溝（１２）を渡るように配されている。線状部材（５０）は係留されている箇所よりも配線部材（２４）が渡る区間で溝（１２）の浅い位置を通っている。【選択図】図３
2015048039.tif 000002
【特許請求の範囲】
【請求項１】
乗り物のシートのシートクッションまたはシートバックにクッション性のあるパッド材が設けられ、このパッド材の表面がシート状の表皮材で覆われており、
表皮材を引き込むための溝がパッド材の表面に形成され、溝内を線状部材が走っており、表皮材から溝内へ延びる引き込み部材に線状部材が保持され、線状部材が少なくとも２箇所で溝の底に係留されており、
表皮材とパッド材の間に設けられる電気器具のための配線部材が線状部材とパッド材との間を通って溝を渡るように配されており、
線状部材が係留された箇所よりも配線部材が渡る区間で線状部材が溝の浅い位置を通っている表皮材引き込み構造。
【請求項２】
請求項１に記載の表皮材引き込み構造であって、配線部材が渡る区間で通路が狭まっている筒状の布で前記の引き込み部材が構成され、前記の線状部材がこの布の通路に通されることで引き込み部材に保持されている構造。
【請求項３】
請求項２に記載の表皮材引き込み構造であって、途中に幅が狭い部分のある帯状の布を幅の中央で折り返し、重なった縁同士を縫い合わせて筒状にすることで通路の途中に狭まった部分が形成されている構造。
【請求項４】
請求項１から請求項３までのいずれかに記載の表皮材引き込み構造であって、配線部材が渡る区間での溝の深さが線状部材が係留された箇所での溝の深さと同じである構造。
【発明の詳細な説明】
【技術分野】
【０００１】
本発明は、自動車等の乗り物に用いられるシートのパッド材において、パッド材を覆う表皮材を引き込むための溝を備えた構造に関する。
【背景技術】
【０００２】
自動車用シートの座面や背凭れ面に設けられるパッド材の表面は一般的に平坦ではなく種々の形状が設けられる。特にパッド材の表面の向きが切り替わる部分にはその境目に沿って溝と呼ばれる凹部を形成し、表皮材をこの溝内に引き込む手段を設けることで表皮材をパッド材にしっかりと沿わせるとともに、表皮材に張りを持たせることが従来行われている。溝の底を形成するパッド材と表皮材の裏側とにそれぞれワイヤを設け、このワイヤ同士を何箇所かでリングで束ねることによって表皮材の引き込みを実現する方法が一般的である。
【０００３】
また、パッドと表皮との間には、座面や背凭れ面を暖めるためのヒータや、乗員の着座を検知するためのセンサ等、面状に広がる形態の電気的部品を挟むことがある。パッドの表面が溝でいくつかの区画に分断されている場合、ヒータやセンサは必要に応じて複数の区画にわたって設けられる。しかし溝にはワイヤが走っておりヒータやセンサを被せることができないため、パッドの各区画にそれぞれ対応する大きさのヒータやセンサを設け、溝を横切る配線で接続するといった処理が必要となる。
【０００４】
下記の特許文献１に記載されているシート用のパッドはシート幅方向に延びる２本の横溝が左右の縦溝につながっており、パッドの表面が前後方向に並ぶ３つの区画に完全に分断されている。そして、横溝のうちヒータの配線材が横断する部分をパッドの裏側まで貫通させており、配線材をこの貫通穴の奥深くまで垂らし込ませることで表皮材側のワイヤと干渉しないようにしつつ、大きな曲率を確保している。また、表皮材の引き込みのためのパッド側のワイヤを配線材が横断する区間で溝の脇に迂回させることで、ワイヤと配線材とが干渉するのを避けている。しかし、配線材を溝や穴の深くまで潜らせる作業には時間が掛かる。また配線材の冗長な部分が長いとそれだけ材料費が掛かる。
【０００５】
特許文献２にはヒータとセンサとを備える面状体が記載されている。この面状体は前後のパッド区画にそれぞれ配置される矩形部を幅の狭い左右の架橋部でつないで構成している。これはワイヤが横溝の全長にわたって設けられておらず横溝にワイヤが通っていない部分があるようなパッドに用いられる。左右の架橋部をワイヤが通っていない部分に配置することで、ヒータやセンサの配線がワイヤと干渉しないようにすることができる。しかし、ワイヤが通ってない部分では表皮材に張りを与えることができずシートの見栄えが悪くなる。
【先行技術文献】
【特許文献】
【０００６】
【特許文献１】特開２０１２−２３２６２９号公報
【特許文献２】特開２００９−２１３８１７号公報
【発明の概要】
【発明が解決しようとする課題】
【０００７】
本発明は、このような問題点に鑑みてなされたものであり、本発明が解決しようとする課題は、パッド材の溝を横断するように配線部材を配置しても溝に表皮材を引き込む手段によって配線が干渉されにくくし、導電体の断線を起きにくくすることにある。
【課題を解決するための手段】
【０００８】
上記の課題を解決するために本発明では以下のような手段をとる。本発明のひとつの観点から得られる表皮材引き込み構造は、乗り物のシートのシートクッションまたはシートバックにクッション性のあるパッド材が設けられ、このパッド材の表面がシート状の表皮材で覆われている。表皮材を引き込むための溝がパッド材の表面に形成され、溝内を線状部材が走っており、表皮材から溝内へ延びる引き込み部材に線状部材が保持され、線状部材が少なくとも２箇所で溝の底に係留されている。表皮材とパッド材の間に設けられる電気器具のための配線部材が線状部材とパッド材との間を通って溝を渡るように配されている。線状部材が係留された箇所よりも配線部材が渡る区間で線状部材が溝の浅い位置を通っている。
【０００９】
ひとつの態様として、線状部材が係留された箇所と配線部材が渡る区間とで溝の形状を同じにすることで、配線部材の有無に関わらず同一形態のパッド材を利用できるようにしても良い。
【００１０】
また、ひとつの態様として、配線部材が渡る区間で通路が狭まっている筒状の布で前記の引き込み部材を構成し、この布の通路に前記の線状部材を通すことで引き込み部材に保持させても良い。線状部材は弾性をもって反ったり撓んだりできるような材料で形成することで、溝の底に係留させたときに配線部材が渡る区間でも復元力によって引き込み部材に張力を及ぼすことができるようにしても良い。
【００１１】
また、ひとつの態様として、途中に幅が狭い部分のある帯状の布を幅の中央で折り返し、重なった縁同士を縫い合わせて筒状にすることで通路の途中に狭まった部分を形成しても良い。筒状の布の縫い目側の端を表皮材に縫い付けて折り目側の端を直線状に延ばすことで、通路が狭まっている区間でパッド材側の端が溝の底から離れる方向に引き寄せられる。
【００１２】
別の態様として、帯状の布を幅の中央で折り返し、幅の縁同士を縫い合わせて筒状にすることでほぼ一定の広さの通路を形成し、さらに折り目側の縁に縫い目を入れることで通路の途中に狭まった部分を形成しても良い。
【００１３】
また、ひとつの態様として、パッド材の溝の底にベースワイヤを固定し、線状部材をこのベースワイヤに係留させ、線状部材を係留する箇所よりも配線部材が渡る区間でベースワイヤをパッド材の内部寄りを通るようにしても良い。例えば、単純にベースワイヤを湾曲させて、線状部材を係留する箇所ではベースワイヤが溝の中に露出し、配線部材が渡る区間ではベースワイヤがパッド材の内部に埋もれるようにすると良い。
【００１４】
別の態様として、途中で幅が狭まっている帯状の布で前記の引き込み部材を構成し、この布の幅の一方の縁に沿って前記の線状部材を固定することで、配線部材が渡る区間で線状部材が反って溝の浅いところを通るようにしても良い。線状部材は樹脂で形成して布に一体成形しても良い。さらに、帯状の布の表皮材側の端を表皮材に縫い付けて表皮材側の端を直線状に延ばすことで、通路が狭まった区間でパッド材側の端が溝の底から離れる方向に引き寄せられるようにしても良い。
【発明の効果】
【００１５】
線状部材が溝の底に係留されていても、配線部材が渡る区間では線状部材が溝の浅い位置を走っているため、配線部材が線状部材によって干渉されにくくなり、断線が起きにくくなる。また、配線部材が渡る区間であるかに関係なく溝の全長にわたり表皮材を均一に引き込むことができ、配線部材が渡る区間でも表皮材にしわができず、表皮材の見栄えが良くなる。
【図面の簡単な説明】
【００１６】
【図１】シートクッションの座面を形成するパッド材を示す斜視図であって、その上面に配置されるヒータの位置を二点鎖線で示している。
【図２】溝を横断する配線部材の形態の、ひとつの実施例を示す図である。
【図３】本発明のひとつの実施例として、リングで線状部材を溝の底に固定する際のシートクッションを図１のＩＩＩ−ＩＩＩ線で示す位置で切断した断面図である。
【図４】図３のシートクッションを線状部材の係留箇所であるＩＶ−ＩＶ線で切断した断面図。
【図５】図３のシートクッションを配線部材の横断区間内であるＶ−Ｖ線で切断した断面図。
【図６】本発明のひとつの実施例として、表皮材の引き込み部材を作るための素材となる帯状の布を示す図である。
【図７】図６の布を幅の中心線で折り曲げた状態を示す図である。
【図８】図７の布の重なった縁同士を縫い合わせて筒状とした引き込み部材と、内部の通路に通す線状部材をともに示す図である。
【図９】筒状となった図８の引き込み部材に線状部材を通し、リングで線状部材を引いて引き込み部材に張力を与えた状態を示す図である。
【図１０】本発明の別の実施例として、筒状とした布に弧状の縫い目を入れることにより内部の通路を途中で狭めて構成した引き込み部材を示す図である。
【図１１】図１０の引き込み部材に線状部材を通し、表皮材に縫い付けた状態を示す図である。
【図１２】本発明のさらに別の実施例として、幅が途中で狭くなっている帯状の布の縁に線状部材を固定して構成した引き込み部材を示す図である。
【図１３】図１２の引き込み部材が表皮材に縫い付けられ、線状部材が反った状態を示す図である。
【発明を実施するための形態】
【００１７】
以下に本発明の実施例について図面を参照しながら説明する。なお複数の実施例において実質的に等価な機能を発揮する部分には同一の符号を付すこととし詳細な説明は繰り返さない。
【００１８】
パッド材はシートのフレーム（図示せず）に取り付けられて、乗員を受けるシートクッションの座面やシートバックの背凭れ面を形成するものである。シートは自動車や鉄道車両等の乗り物に設けるのが好ましい。図１には例として自動車のシートのシートクッションに設けられるパッド材１０を示す。パッド材１０はポリウレタンフォーム等、一般的に用いられるクッション性のある素材で形成される。図３に示すように、パッド材１０の表面は意匠や触感を提供するための表皮材３０で覆われる。
【００１９】
パッド材１０の上面には表皮材３０を引き込むための溝１２が形成される。ひとつの実施例として、図１に示すようにシートの奥行き方向に延びる左右の縦溝と、これらを繋ぐようにシート幅方向に延びる横溝とを設けることができる。このようにパッド材１０の表面は溝１２でいくつかの区画に区切られた形態となる。
【００２０】
図３に示すように溝１２内には溝の方向に沿って線状部材５０を設ける。線状部材５０は例えば簡素な金属のワイヤや樹脂の棒で構成することができる。この線状部材５０は表皮材３０から溝１２内へ延びるように設けた引き込み部材４０に何らかの手段によって保持させる。ひとつの実施例として、図３に示すように筒状にした綿布等の布を用い、筒内の通路１１０が溝１２の方向と並行する向きに配して上端を表皮材３０に縫い付け、この通路１１０に線状部材５０を通すことで引き込み部材４０に保持されるようにすることができる。
【００２１】
線状部材５０は少なくとも２箇所で溝１２の底に係留される。引き込み部材４０の寸法を適切に設定すれば、線状部材５０を係留することで引き込み部材４０に張力を与え、表皮材３０を引き込むことができる。線状部材を係留する手段としては公知の種々の方法を用いることができるが、ひとつの実施例として、図３に示すようにパッド材１０の溝１２の底にベースワイヤ６０を固定し、線状部材をこのベースワイヤ６０にリング７０で係留させることができる。なお図３はＣ字状のリング７０を閉じる前の状態を示している。ベースワイヤ６０はパッド材１０との一体成形により部分的にパッド材１０に埋め込まれた状態にすることでパッド材１０に固定することができる。図３と図４に示すように、線状部材を係留する箇所では溝１２の底をさらに抉って浅い穴１６を設け、ベースワイヤ６０を露出させやすくすることもできる。
【００２２】
図４と図５に示すように、表皮材３０とパッド材１０の間には面状に広がる電気器具２０が挟まれる。面状の電気器具には、座った乗員のためにシートを暖めるヒータや、乗員がシートに座ったことを検知するセンサなどが含まれる。このような電気器具は例えば図１に鎖線で示す範囲に配置される。ヒータやセンサの主要な部分２２は溝１２で区切られたパッド材１０の表面の区画ごとに配置されるが、それらの部分２２が複数の区画に配置され、溝１２を渡る配線部材２４によって接続される。一本の溝には２つ以上の配線部材を渡しても良いが、それぞれの配線部材２４の両側で線状部材を係留するのが望ましい。
【００２３】
配線部材２４は導電体を含むものであり、ヒータの発熱部材として機能するものであっても良いが、単に回路を構成するための被覆導線等の電気配線自体でも良い。ひとつの実施例として、図２に示すように導線２６を基材に固定したものでも良い。基材として例えば不織布を用い、これに導線２６を縫製２８等によって固定し、全体として帯状の形態の配線部材２４とすることができる。また、導線２６は基材が曲がったときにストレスが掛からないように基材に波状に固定すると良い。
【００２４】
図３に示すように、電気器具の配線部材２４は線状部材５０とパッド材１０との間を通るように配される。配線部材２４は線状部材よりも溝１２の深い位置を通ることとなるため、配線部材２４が溝を渡る区間では線状部材を溝の底に係留することができないが線状部材と引き込み部材４０を介して表皮材３０に張りを与えることはできる。
【００２５】
図４と図５に示すように、線状部材５０は溝１２の底に係留された箇所よりも配線部材２４が渡る区間で溝内の浅い位置を走っている。線状部材が溝１２の底に係留されていても、配線部材２４が渡る区間で線状部材が溝１２の浅い位置を走っていれば、配線部材２４が線状部材によって干渉されにくくなり、断線が起きにくくなる。また、溝１２を渡る配線部材２４に影響されることなく、溝１２の全長にわたり表皮材３０をほぼ均一に引き込むことができ、表皮材３０の見栄えが良くなる。このような構造とするため、線状部材５０はあらかじめ湾曲した形状に成形しても良いが、弾性を有する直線状の部材を何らかの手段により撓ませても良い。
【００２６】
ひとつの手段として、図３に示すように、配線部材２４が渡る区間で通路１１０が狭まっている筒状の布で引き込み部材４０を構成することができる。通路がくびれている（狭まった）部分では線状部材５０が溝１２の底に向かって引っ張られても溝の深い位置まで来ることができず比較的浅い位置にとどまる。線状部材５０は弾性をもって反ったり撓んだりできるような材料と形態で形成することで、線状部材５０を係留できない区間でも線状部材が復元しようとする力によって引き込み部材４０に張力を及ぼすことができるようにしても良い。線状部材５０としては例えば自然状態で直線状となるように成形した金属のワイヤを用いると良い。なお、線状部材をリング７０で係留する場合は図９に示すように布の一部に孔をあけておくことができる。
【００２７】
ひとつの実施例として、図６から図８に示すように、途中に幅が狭い部分のある帯状の布１００を幅の中央で折り返し、重なった端１０４同士を縫い合わせて筒状にすることで、通路１１０の途中に狭まった部分１１２を形成することができる。筒状になった布は図７に示すように縫い目１０８側の端１０４が凹み、折り目側の端１０６が直線状となるが、凹んだ側の端２０４を表皮材に縫い付けると良い（縫い目４２）。凹んでいた縫い目１０８側の端１０４は表皮材の張りによって図８に示すように直線状に延ばされ、逆に直線状だった折り目側の端１０６は溝１２の底から離れる方向に引き寄せられて凹み、線状部材は通路１１０の中で反って溝１２の浅いところを通るようになる。弧状に曲がった縁を平坦な表皮材に縫い付けることとなるため、繊維がまばらでしなやかな綿布を用いると良い。
【００２８】
ひとつの実施例として、図３に示すように、線状部材５０の一端または両端に鉤状の部分５２を設け、筒状にした布の両端に引っ掛けることができるようにし、通路１１０内で線状部材がずれにくいようにしてもよい。特に鉤状の部分５２が他の部分よりも太くなっている場合、組み付け時に一旦線状部材５０を通路１１０の狭まった部分１１２に通してしまった後は、鉤状の部分が引っ掛かって引き込み部材４０から抜け落ちにくくなる。
【００２９】
図３に示すように、線状部材５０を係留する箇所よりも配線部材２４が渡る区間でベースワイヤをパッド材１０の内部寄りを通るようにしても良い。例えばあらかじめ湾曲させたベースワイヤ６０を用いて、線状部材５０を係留する箇所ではベースワイヤが溝１２の中に露出し、配線部材が渡る区間ではベースワイヤがパッド材１０の内部に埋もれるようにすると良い。これにより配線部材の渡る区間でベースワイヤが線状部材から離れるため、配線部材がベースワイヤと干渉しにくく、断線をさらに起きにくくすることができる。
【００３０】
配線部材２４が渡る区間では線状部材５０が浅い位置を通っており邪魔にならないため、溝１２の底をさらに抉るなどして配線部材２４を迂回させるための穴を設ける必要はない。ひとつの実施例として、図４と図５に示すように、配線部材２４が渡る区間での溝１２ａの深さを線状部材５０が係留された箇所での溝１２ｂの深さと実質的に（ベースワイヤ６０を露出させるための浅い穴１６を除いて）同じにすることで、ヒータやセンサを設ける仕様のシートかどうか関わらず共通の形態のパッド材１０を利用することができる。
【００３１】
図６に示すようなあらかじめ幅の狭まった部分のある布を用いなくとも、通路が狭い部分を作ることができる。図１０と図１１に示すように、幅がほぼ一定の帯状の布を幅の中央で折り返し、幅の両端１０４同士を（縫い目１０８で）縫い合わせて筒状にすることでほぼ一定の広さの通路１１０を形成し、さらに折り目側の端に弧状の縫い目１１４を入れることで通路の途中に狭まった部分１１２を形成しても良い。これにより縫い目１１４の有無を変えるだけで溝１２に配線部材２４を渡す仕様と渡さない仕様の両方のシートに対応できるようになる。
【００３２】
また、図８や図１０に示すような筒状にした布を用いなくても引き込み部材４０を構成することができる。別の実施例として、図１３に示すように途中で幅が狭まった部分２０２のある帯状の布２００で引き込み部材４０を構成し、この布の幅の一方の端２０６に沿って線状部材５０を固定することで、配線部材２４が渡る区間で線状部材が溝１２の浅いところを通るようにすることができる。線状部材５０は樹脂の棒として布２００の端に一体成形しても良い。
【００３３】
特に、幅の一方の端２０４が凹んでおり他方の端２０６が直線状であるような布２００と、自然状態で直線状となるように成形した樹脂の棒を用い、直線状の端２０６に樹脂の棒を一体成形し、凹んだ端２０４を表皮材に縫い付けると良い。凹んでいた端２０４は表皮材の張りによって図１３に示すように直線状に延ばされ、直線状だった端２０６は溝１２の底から離れる方向に引き寄せられて凹み、線状部材５０は反って溝の浅いところを通るようになる。
【００３４】
なお、本発明は以上に説明した実施例に限定されるものではなく、その他各種の置換、改良、変更を加えた形態で実施できるものである。
【符号の説明】
【００３５】
１０   パッド材
１２   溝
２０   ヒータ等の電気器具
２４   配線部材
３０   表皮材
４０   引き込み部材
４２   縫い目
５０   線状部材
６０   ベースワイヤ
７０   リング
１００ 布
１１０ 通路
１１２ 狭まった部分
１１４ 弧状の縫い目
【図１】
2015048039.tif 000003
【図２】
2015048039.tif 000004
【図３】
2015048039.tif 000005
【図４】
2015048039.tif 000006
【図５】
2015048039.tif 000007
【図６】
2015048039.tif 000008
【図７】
2015048039.tif 000009
【図８】
2015048039.tif 000010
【図９】
2015048039.tif 000011
【図１０】
2015048039.tif 000012
【図１１】
2015048039.tif 000013
【図１２】
2015048039.tif 000014
【図１３】
2015048039.tif 000015